(57)【特許請求の範囲】
【請求項１】
ステムを備えるエアゾールバルブが取り付けられたエアゾール容器と、
前記エアゾール容器に充填された内容物を適用箇所に塗布する塗布部と、前記塗布部に前記内容物を供給する基部とを備える塗布治具と、
が装着される塗布部材であり、
前記エアゾール容器を収容する筒部と、前記ステムが装着される本体部とを備え、
前記本体部は、前記基部を着脱自在に装着可能な略円筒状の嵌合部を有し、
前記塗布治具が装着される際に、前記嵌合部は、
前記基部の外周面と前記嵌合部の内周面との締り嵌めを形成し、かつ、
前記塗布部を露出させるための先端開口部が形成されており、
前記塗布治具は、綿棒であり、
前記塗布治具の前記塗布部は、綿球であり、
前記嵌合部における前記先端開口部の近傍は、前記綿球の形状に沿うように凹面状に加工されている、塗布部材。
【請求項２】
前記嵌合部にシール材がさらに備えられている、請求項１記載の塗布部材。
【請求項３】
前記嵌合部に、径方向の内側に突出する突起が形成されている、請求項１記載の塗布部材。
【請求項４】
前記塗布治具をさらに含む、請求項１〜３のいずれか１項に記載の塗布部材。
【請求項５】
前記塗布部は、前記内容物を通過させる通液性素材から構成されている、請求項４記載の塗布部材。
【請求項６】
前記基部は、前記内容物が通過する管状通路と、前記管状通路の一端に形成された開口であって、前記内容物が吐出される吐出口とが形成されており、
前記吐出口は、前記塗布部の内部において開口している、請求項４または５記載の塗布部材。
【請求項７】
前記基部は、前記内容物を吸収する吸液性素材から構成されている、請求項４〜６のいずれか１項に記載の塗布部材。
【請求項８】
ステムを備えるエアゾールバルブが取り付けられたエアゾール容器と、
前記エアゾール容器に充填された内容物を適用箇所に塗布する塗布部と、前記塗布部に前記内容物を供給する基部とを備える塗布治具と、
が装着される塗布部材であり、
前記エアゾール容器を収容する筒部と、前記ステムが装着される本体部とを備え、
前記本体部は、前記基部を着脱自在に装着可能な嵌合部を有し、
前記塗布治具をさらに含み、
前記本体部は、径方向の内側に突出する段部を有し、
前記塗布部は、前記基部の一端に設けられる第１塗布部と、前記基部の他端に設けられる第２塗布部とを備え、
前記第２塗布部は、前記内容物を吸収することにより膨潤する部位であり、前記塗布治具が前記嵌合部に取り付けられた状態において、前記段部の形成された位置よりも前記ステムの装着位置側に配置され、
膨潤前の前記第２塗布部の径は、前記段部の形成された位置を通過し得る径であり、
膨潤後の前記第２塗布部の径は、前記段部の形成された位置における前記嵌合部の内径よりも大きい、塗布部材。
【請求項９】
前記エアゾール容器が、請求項１〜８のいずれか１項に記載の塗布部材に取り付けられた、塗布製品。
【発明の詳細な説明】
【技術分野】
【０００１】
本発明は、塗布部材および該塗布部材を備える塗布製品に関する。より詳細には、エアゾール容器と、エアゾール容器に充填された内容物を適用箇所に塗布する塗布治具とが取り付けて使用され、塗布治具に内容物を均一に供給することのできる塗布部材および該塗布部材を備える塗布製品に関する。
【背景技術】
【０００２】
従来、綿棒等の塗布治具に、内容物を付着させることのできるエアゾール装置が知られている。特許文献１には、棒状部材（綿棒）を挿入することができる挿入部を備え、挿入部に棒状部材を挿入し噴射操作をすることで、内容物を棒状部材の先端に付着させるエアゾール装置が開示されている。
【先行技術文献】
【特許文献】
【０００３】
【特許文献１】特開２００７−３０９７８号公報
【発明の概要】
【発明が解決しようとする課題】
【０００４】
しかしながら、特許文献１に記載のエアゾール装置は、挿入部に対して棒状部材を真っ直ぐに挿入しなければならず、使用しにくい。また、真っ直ぐに挿入できないと噴射操作を行う際に、隙間から内容物が飛び散るという問題がある。また、真っ直ぐに棒状素材を挿入するため、棒状部材の先端にのみ内容物が付着し、全体に均一に内容物を付着させることができない。
【０００５】
本発明は、このような従来の問題に鑑みてなされたものであり、内容物を塗布部に均一に供給することができ、かつ、噴射操作を行っても内容物が飛び散ることがなく、使いやすい塗布部材および該塗布部材を備える塗布製品を提供することを目的とする。
【課題を解決するための手段】
【０００６】
上記課題を解決する本発明の塗布部材および該塗布部材を備える塗布製品には、以下の構成が主に含まれる。
【０００７】
（１）ステムを備えるエアゾールバルブが取り付けられたエアゾール容器と、前記エアゾール容器に充填された内容物を適用箇所に塗布する塗布部と、前記塗布部に前記内容物を供給する基部とを備える塗布治具と、が装着される塗布部材であり、前記エアゾール容器を収容する筒部と、前記ステムが装着される本体部とを備え、前記本体部は、前記基部を着脱自在に装着可能な嵌合部を有する、塗布部材。
【０００８】
このような構成によれば、塗布部材は、エアゾール容器を収容する筒部と、ステムが装着される本体部とを備える。本体部は、基部を着脱自在に装着可能な嵌合部を有する。そのため、本体部に取り付けられる基部が使用時に内容物の圧力によって応力が加えられても抜け飛びにくい。また、塗布部材は、エアゾール容器を収容する筒部を備えている。そのため、使用時に筒部がエアゾール容器を支え、エアゾール容器がぐらつくことがなく使用できる。なお、エアゾール容器を収容するとは、エアゾール容器が上下動可能な状態で収容されることをいう。
【０００９】
（２）前記塗布治具が装着される際に、前記嵌合部は、前記基部と締り嵌めを形成する、（１）記載の塗布部材。
【００１０】
このような構成によれば、塗布治具が装着される際に、嵌合部は、基部と締り嵌めを形成する。そのため、塗布治具は、嵌合部に嵌め込まれており、エアゾール容器から内容物が取り込まれる際に、内容物の圧力によって応力が加えられても抜け飛びにくい。
【００１１】
（３）前記嵌合部にシール材がさらに備えられている、（１）記載の塗布部材。
【００１２】
このような構成によれば、塗布治具は、嵌合部にシール材がさらに備えられている。そのため、塗布治具は、シール材を介して嵌合部に装着されており、エアゾール容器から内容物が取り込まれる際に、内容物の圧力によって応力が加えられても抜け飛びにくい。さらに、塗布部材は、シール材を備えているため、密封性も高く内容物が嵌合部から漏れにくい。
【００１３】
（４）前記嵌合部に、径方向の内側に突出する突起が形成されている、（１）記載の塗布部材。
【００１４】
このような構成によれば、嵌合部に、径方向の内側に突出する突起が形成されている。そのため、塗布治具は、突起が当接するように嵌合部に嵌め込まれており、エアゾール容器から内容物が取り込まれる際に、内容物の圧力によって応力が加えられても抜け飛びにくい。また、塗布部材は、嵌合する場所が一ヵ所であるため、基部を挿入しやすい。
【００１５】
（５）前記塗布治具をさらに含む、（１）〜（４）のいずれかに記載の塗布部材。
【００１６】
このような構成によれば、塗布部材は、塗布治具をさらに備えている。塗布治具は、塗布部に対して、内容物を直接供給するのではなく、基部を通過させて供給する。そのため、塗布部に供給された内容物が飛び散りにくい。また、内容物は、基部を通過させることにより供給されるため、塗布部に均一に供給されやすい。
【００１７】
（６）前記塗布部は、前記内容物を通過させる通液性素材から構成されている、（５）記載の塗布部材。
【００１８】
このような構成によれば、塗布部は、内容物を通過させる通液性素材から構成されている。そのため、塗布部の内部から供給された内容物は、塗布部の内部から表面に向かって全体に渡って均一に分布しやすい。よって、塗布部材は、適用箇所に塗布する際にムラなく塗布することができる。さらに、塗布部が密閉状態でないため、供給された内容物中の液化ガスが気化しやすく、内容物の圧力による応力が塗布部材にかかりにくい。よって塗布部材が抜け飛びにくい。また、塗布部に供給された内容物は、液化ガスが気化する際の気化熱で冷やされ、塗布部に冷却された内容物（原液）が保持される。よって、使用者は、塗布部材を用いることにより、適用箇所に原液の効果と冷却効果を付与することができる。
【００１９】
（７）前記基部は、前記内容物が通過する管状通路と、前記管状通路の一端に形成された開口であって、前記内容物が吐出される吐出口とが形成されており、前記吐出口は、前記塗布部の内部において開口している、（５）または（６）記載の塗布部材。
【００２０】
このような構成によれば、基部は、管状通路を備えている。そのため、エアゾール容器から供給される内容物が管状通路を通過後に、基部外面にしみだしにくく塗布部材等を内容物で汚しにくい。また、吐出口は、塗布部の内部において開口している。そのため、吐出口から吐出された内容物は、塗布部の内部から表面に向かって全体に渡って均一に分布しやすい。
【００２１】
（８）前記基部は、前記内容物を吸収する吸液性素材から構成されている、（５）〜（７）のいずれかに記載の塗布部材。
【００２２】
このような構成によれば、基部は、内容物を吸収する吸液性素材から構成されている。そのため、内容物は、基部に吸収され、塗布部に供給される。その結果、供給された内容物は、内容物が直接塗布部に供給される場合よりも、ゆっくりと塗布部に供給されるため、より飛び散りにくい。
【００２３】
（９）前記本体部は、径方向の内側に突出する段部を有し、前記塗布部は、前記基部の一端に設けられる第１塗布部と、前記基部の他端に設けられる第２塗布部とを備え、前記第２塗布部は、前記内容物を吸収することにより膨潤する部位であり、前記塗布治具が前記嵌合部に取り付けられた状態において、前記段部の形成された位置よりも装着口側に配置され、膨潤前の前記第２塗布部の径は、前記段部の形成された位置を通過し得る径であり、膨潤後の前記第２塗布部の径は、前記段部の形成された位置における前記嵌合部の内径よりも大きい、（５）〜（８）のいずれかに記載の塗布部材。
【００２４】
このような構成によれば、第２塗布部は、段部の形成された位置よりも装着口側に配置される。また、第２塗布部は、内容物を吸収することにより膨潤する部位であり、膨潤前の第２塗布部の径は、段部の形成された位置を通過し得る径であり、膨潤後の第２塗布部の径は、段部の形成された位置における嵌合部の内径よりも大きい。そのため、塗布部材は、塗布治具を取り付けやすい。また、第２塗布部の径は、取付後に内容物を吐出する場合において、内容物を吸収して膨潤し、段部が形成された位置の径よりも大きくなる。そのため、塗布治具は、内容物が取り込まれる際に、第２塗布部が段部の下面と当接して制止され、抜け飛びにくい。さらに、使用後は第２塗布部が吸収した内容物が揮発すると第２塗布部が収縮するため、塗布治具は、塗布部材から抜き取りやすい。
【００２５】
（１０）前記エアゾール容器が、（１）〜（９）のいずれかに記載の塗布部材に取り付けられた、塗布製品。
【００２６】
このような構成によれば、塗布製品は、エアゾール容器が塗布部材に取り付けられている。このような塗布製品は、エアゾール容器内の内容物（液化ガス）による冷却効果が効率よく得られる。
【図面の簡単な説明】
【００２７】
【図１】図１は、本発明の一実施形態（第１の実施形態）の塗布製品の模式的な断面図である。
【図２】図２は、本発明の一実施形態（第１の実施形態）の塗布製品の分解図である。
【図３】図３は、塗布部材を作動させて内容物を塗布治具に供給している状態の塗布製品の模式的な断面図である。
【図４】図４は、本発明の一実施形態（第２の実施形態）の塗布製品を拡大した模式的な断面図である。
【図５】図５は、塗布部材を作動させて内容物を塗布治具に供給した後の塗布製品を拡大した模式的な断面図である。
【図６】図６は、本発明の変形例（第１の変形例）の塗布製品を拡大した模式的な断面図である。
【図７】図７は、本発明の変形例（第２の変形例）の塗布製品を拡大した模式的な断面図である。
【図８】図８は、本発明の変形例（第３の変形例）の塗布製品を拡大した模式的な断面図である。
【図９】図９は、本発明の変形例（第４の変形例）の塗布製品を拡大した模式的な断面図である。
【発明を実施するための形態】
【００２８】
（第１の実施形態）
本発明の一実施形態の塗布製品が、図面を参照して説明される。図１は、本実施形態の塗布製品１の模式的な断面図である。図１に示される塗布製品１は、使用前（内容物が取り込まれる前）の状態である。塗布製品１は、塗布治具２が装着される塗布部材４と、エアゾール容器３とを備える。以下、それぞれの構成について説明する。なお、エアゾール容器３は、汎用の部材である。そのため、本実施形態において示されるエアゾール容器３は例示であり、適宜設計変更が行われてもよい。
【００２９】
＜塗布治具２＞
塗布治具２は、内容物を適用箇所に塗布するための治具であり、綿球５（塗布部の一例）と、基部６とを有する。塗布治具２は、塗布部材４に取り付けて使用される。なお、適用箇所としては特に限定されず、皮膚（特に目元や唇等）や頭髪等が例示される。
【００３０】
（綿球５）
綿球５は、綿線の集合体である脱脂綿（通液性素材の一例）が巻き付けられた楕円球状の部位であり、基部６の端部に設けられている。綿球５は、通液性に優れ、内容物を通過させることができる。また、綿球５は、その中心に基部６の吐出口６２が開口するように形成されている。エアゾール容器３から取り込まれた内容物は、吐出口６２から吐出され、綿球５の内側から外側に向けて綿球５内を浸潤し、綿球５の外周面（塗布面）に均一に拡げられる。内容物が綿球５内を浸潤する詳細な機序は、後述される。なお、綿球の形状は楕円状に限定されるものではなく角柱状、球状、スパイラル状など用途に合わせて変更してもよい。
【００３１】
（基部６）
基部６は、綿球５に内容物を供給するための部位であり、比較的長尺の円筒状である。基部６は、内容物が通過する管状通路６１が内部に形成されている。基部６の両端には、管状通路６１と外部とを連通する開口（吐出口６２および取込口６３）がそれぞれ形成されている。吐出口６２は、管状通路６１の一端に形成された開口であり、綿球５の内部において開口している。取込口６３は、管状通路６１の他端に形成された開口であり、後述する本体部７の装着口７１２から取り込まれた内容物を、管状通路６１内に取り込むための開口である。
【００３２】
基部６の管状通路６１の内径は、後述する小径部７２２の内径と同等またはそれよりも大きい。そのため、エアゾール容器３から取り込まれた内容物は、流路抵抗を受けにくく塗布治具２が加圧された内容物から受ける応力が小さくなり、塗布治具２が抜け飛びにくくなる。また内径を小径部７２２よりも小さくしてもよい。小さくした場合は内容物が綿球５へ供給される速度が遅くなるため綿球５に供給された内容物が勢いよく飛び散ることがない。
【００３３】
また、基部６の外径は、後述する大径部７２１の大通路７２４の径と略同じである。そのため、基部６は、後述する大径部７２１の大通路７２４に嵌め込まれることにより、本体部７に取り付けられる。基部６の長さは、本体部７に取り付けた際に、綿球５が先端開口部７１１から露出し、かつ、基部６の他端が段部７３の上面と接触するよう調整されている。基部６の他端が段部７３の上面と接触していることで、本体部７内は、内容物により汚れる恐れが少ない。また、嵌合している箇所が長いため、塗布治具２は、より抜け飛びにくい。なお、基部６の他端は、段部７３と接触しなくてもよい。この場合、塗布治具２の選択性が増える。
【００３４】
基部６の材質としては特に限定されない。基部６の材質としては、木、紙、プラスチック等が例示される。本実施形態の基部６は、プラスチック製である。
【００３５】
＜塗布部材４＞
塗布部材４は、塗布治具２およびエアゾール容器３が取り付けられる部材であり、カバー部７１および取付部７２とからなる本体部７と、カバー部７１に取り付けられる外筒部８（筒部の一例）とを含む。
【００３６】
（本体部７）
本体部７は、塗布治具２が取り付けられる部位であり、中心に開口（先端開口部７１１）が形成された逆椀状のカバー部７１と、先端開口部７１１の周囲において、カバー部７１の裏面から下方に延設された略円筒状の取付部７２とを有する。
【００３７】
カバー部７１は、取付部７２を保護する部位であり、取付部７２のうち、後述する大径部７２１を主に覆う。カバー部７１の下端は、径方向の外側に延設された周状の周縁部７１３が形成されている。周縁部７１３は、カバー部７１が外筒部８の下端開口から挿入され、外筒部８の上部に形成された段部８２と当接する。これにより、カバー部７１に外筒部８が取り付けられる。
【００３８】
取付部７２は、塗布治具２が取り付けられる部位であり、比較的大径の大径部７２１と、大径部７２１の下端に接続され、大径部７２１よりも小径の小径部７２２とからなる。大径部７２１および小径部７２２の内部には、これらを連通する内部通路７２３（大通路７２４および小通路７２５）が形成されている。
【００３９】
大径部７２１（嵌合部の一例）は、基部６が着脱自在に嵌め込まれる部位である。大径部７２１に塗布治具２の基部６が嵌め込まれた状態において、大径部７２１と基部６とは、締り嵌めを形成する。大径部７２１の一端には、大通路７２４の一端が開口している（先端開口部７１１）。先端開口部７１１は、塗布治具２を塗布部材４に取り付けた際に、綿球５が露出する部位である。大径部７２１は、先端開口部７１１の近傍において、綿球５の形状に沿うように、凹面状に加工されている。一方、大径部７２１の他端には、大通路７２４の他端が開口している。大通路７２４の径は、小通路７２５の径よりも大きい。そのため、大径部７２１と小径部７２２との接続箇所には、後述する段部７３が形成されている。段部７３の上面は、基部６の他端と当接する。
【００４０】
小径部７２２は、大径部７２１の下端に形成された部位であり、小径部７２２の下端には、装着口７１２が形成されている。装着口７１２は、小径部７２２の下面から上方に落ち窪んだ凹部であり、ステム３３が装着される。装着口７１２の径は、小通路７２５の径よりも大きい。そのため、小通路７２５の下端と装着口７１２の上端との接続箇所には、段部７３の下面が形成される。塗布部材４は、段部７３の下面にステム３３の上端が当接するようステム３３を差し込むことにより、エアゾール容器３が取り付けられる。
【００４１】
（外筒部８）
外筒部８は、エアゾール容器３を収容する略円筒状の部材である。外筒部８の内径は、容器本体３１の外径よりもわずかに大きい。外筒部８の上端には周縁部７１３と当接する径方向の内側に縮径する段部８２が形成されており、外筒部８の下端には、径方向の外側に延設された周状の把持部８１が形成されている。把持部８１は、後述する吐出動作を行う際に使用者により把持される部位である。使用者は、把持部８１を把持して、塗布部材４を介してステム３３を押し下げることによりエアゾールバルブ３２を作動させ、容器本体３１に充填された内容物を塗布部材４に取り込み、塗布治具２の綿球５に供給する。なお、外筒部８は必須ではなく、適宜省略されてもよい。
【００４２】
塗布部材４全体の説明に戻り、塗布部材４の材質としては特に限定されない。塗布部材４の材質としては、ポリアセタール、ポリアミド、ポリエステル等の各種合成樹脂のほか、金属やゴムが例示される。本実施形態の塗布部材４は、ポリアセタール製である。なお、塗布部材４を構成する本体部７および外筒部８は、同じ材質であってもよく、異なる材質であってもよい。また、本体部７および外筒部８は、一体的に形成されてもよい。
【００４３】
次に、本実施形態の塗布製品１を用いる際に使用される汎用のエアゾール容器３および内容物について説明する。
【００４４】
＜エアゾール容器３＞
エアゾール容器３は、塗布すべき内容物が充填される容器本体３１と、容器本体３１に取り付けられるエアゾールバルブ３２と、エアゾールバルブ３２に取付けられ、一部が上方に突出したステム３３とを備える。
【００４５】
（容器本体３１）
容器本体３１は、塗布すべき内容物が充填された耐圧容器である。容器本体３１の形状は特に限定されず、汎用の形状が採用される。本実施形態の容器本体３１は、有底筒状であり、開口部にエアゾールバルブ３２が固着される。開口部は、内容物を充填するための充填口であり、エアゾールバルブ３２により閉止される。
【００４６】
容器本体３１を構成する材料は特に限定されない。材料としては、アルミニウムやブリキなどの金属、ポリエチレンテレフタレートなどの合成樹脂、耐圧ガラス等が例示される。ほかにも、容器本体３１は、未使用のポリエチレンテレフタレートに対して、飲料用として使用された後のポリエチレンテレフタレートを添加して再利用した材料が使用されてもよい。
【００４７】
（エアゾールバルブ３２）
エアゾールバルブ３２は、容器本体３１の開口部を閉止するものであり、容器本体３１から内容物を塗布部材４に供給するための部材である。エアゾールバルブ３２は、ハウジング（図示せず）と、そのハウジング内に収容したステム３３、そのステムを上向きに付勢するバネ（図示せず）、マウンティングカップおよびシール材（図示せず）などからなる従来公知のものである。バネの付勢力に抗してステム３３を押し下げるとステムのステム孔が開いてステムの上端から内容物が吐出される。一方、ステム３３を押し下げる力をなくすとバネによりステム３３が元の位置に戻り、ステム孔が閉じられる。なお、エアゾールバルブ３２の構造は、非押下状態から押下状態に切り替えることにより、容器本体３１から内容物を取り込んで塗布部材４に送ることができる構造であればよい。
【００４８】
＜内容物＞
内容物は、エアゾール容器３に充填される組成物（エアゾール組成物）であり、有効成分を含む原液と、原液を噴射する噴射剤（液化ガス）とからなる。
【００４９】
有効成分は、用途や目的等に応じて適宜選択することができる。このような有効成分としては、保湿剤、収斂剤、清涼剤、血行促進剤、防腐剤、各種抽出液、ビタミン類、アミノ酸、洗浄剤、紫外線吸収剤、抗真菌剤、鎮痒剤、害虫忌避剤、抗炎症剤、消臭剤、制汗剤、酸化防止剤、香料等が例示される。
【００５０】
保湿剤としては、エチレングリコール、ジエチレングリコール、プロピレングリコール、ジプロピレングリコール、１、３−ブチレングリコール、グリセリン、ジグリセリン、コラーゲン、キシリトール、ソルビトール、マルチトール、ヒアルロン酸、ヒアルロン酸ナトリウム、乳酸ナトリウム、ｄｌ−ピロリドンカルボン酸塩、ケラチン、カゼイン、レシチン、尿素などが例示される。収斂剤としては、アラントインヒドロキシアルミニウム、クエン酸、乳酸、タンニン酸、酸化亜鉛などが例示される。清涼剤としては、ｌ−メントール、カンフルなどが例示される。血行促進剤としては、トウガラシチンキ、センブリエキス、イチョウエキス、ジカプリル酸ピリドキシン、センブリ抽出物、酢酸−ｄｌ−α−トコフェロールなどが例示される。
【００５１】
殺菌・防腐剤としては、パラオキシ安息香酸エステル、安息香酸ナトリウム、フェノキシエタノール、塩化ベンザルコニウム、塩化ベンゼトニウム、塩化クロルヘキシジン、パラクロルメタクレゾールなどが例示される。各種抽出液としては、ドクダミエキス、オウバクエキス、シャクヤクエキス、ヘチマエキス、キナエキス、サクラソウエキス、バラエキス、レモンエキス、アロエエキス、ショウブ根エキス、ユーカリエキス、セージエキス、茶エキス、海藻エキス、プラセンタエキス、シルク抽出液などが例示される。ビタミン類としては、レチノール、パルミチン酸レチノール、塩化ピリドキシン、ニコチン酸ベンジル、ニコチン酸アミド、ニコチン酸ｄｌ−α−トコフェロール、ビタミンＤ２（エルゴカシフェロール）、ｄｌ−α−トコフェロール、酢酸ｄｌ−α−トコフェロール、パントテン酸、ビオチンなどが例示される。
【００５２】
アミノ酸としては、グリシン、アラニン、ロイシン、イソロイシン、セリン、スレオニントリプトファン、シスチン、システイン、アスパラギン酸、グルタミン酸などが例示される。洗浄剤としては、アニオン性界面活性剤、ノニオン性界面活性剤、両性界面活性剤などが例示される。紫外線吸収剤としては、パラアミノ安息香酸、パラアミノ安息香酸モノグリセリンエステル、サリチル酸オクチル、サリチル酸フェニル、パラメトキシケイ皮酸イソプロピル、パラメトキシケイ皮酸オクチルなどが例示される。抗真菌剤としては、サリチル酸メチル、ケトプロフェン、インドメタシン、フェルビナクなどの消炎鎮痛剤；硝酸ミコナゾール、エコナゾール、ビフォナゾール、クロトリマゾール、塩酸ネチコナゾール、硝酸スルコナゾール、硝酸オキシコナゾール、塩酸テルビナフィン、塩酸ブテナフィンなどが例示される。
【００５３】
鎮痒剤としては、リドカイン、ジブカイン、プロカイン、塩酸ジブカイン、塩酸リドカイン、塩酸プロカイン、アミノ安息香酸エチル、オキシポリエントキシドデカン、塩酸ジフェニルピラリン、塩酸ジフェンヒドラミン、クロルフェニラミン、サリチル酸ジフェンヒドミン、クロタミトンなどが例示される。害虫忌避剤としては、Ｎ、Ｎ−ジエチル−ｍ−トルアミド（ディート）、カプリル酸ジエチルアミドなどが例示される。抗炎症剤としては、アラントイン、グリチルレチン酸、アズレンなどが例示される。
【００５４】
消臭剤としては、ラウリル酸メタクリレート、安息香酸メチル、フェニル酢酸メチル、ゲラニルクロトレート、ミリスチン酸アセトフェノン、酢酸ベンジル、プロピオン酸ベンジルなどが例示される。制汗剤としては、クロロヒドロキシアルミニウムなどが例示される。酸化防止剤としては、α−トコフェロール、ジブチルヒドロキシトルエン、ブチルヒドロキシアニソールなどが例示される。香料としては、合成香料、天然香料などが例示される。
【００５５】
噴射剤としては、液化ガスが用いられる。液化ガスとしては、プロパン、ノルマルブタン、イソブタンおよびこれらの混合物からなる液化石油ガス、ジメチルエーテル、トランス−１，３，３，３−テトラフルオロプロパ−１−エン（ＨＦＯ−１２３４ｚｅ）、トランス−２，３，３，３−テトラフルオロプロパ−１−エン（ＨＦＯ−１２３４ｙｆ）などのハイドロフルオロオレフィン、およびこれらの混合物等が例示される。液化ガスは、さらに冷却効果や圧力などを調整するためにノルマルペンタン、イソペンタン等の沸点が５〜４０℃である炭化水素が配合されてもよい。液化ガスの蒸気圧は特に限定されず、たとえば、２５℃での蒸気圧が０．０５〜０．８（ＭＰａ）である液化ガスが好ましく、０．０８〜０．５（ＭＰａ）である液化ガスがより好ましい。なお、加圧剤として、窒素、空気、二酸化炭素、亜酸化窒素などの圧縮ガスが用いられてもよい。
【００５６】
液化ガスの配合量は特に限定されず、たとえば、内容物中、５質量％以上であることが好ましく、１０質量％以上であることがより好ましい。また、液化ガスの配合量は、９９質量％以下であることが好ましく、９８．５質量％以下であることがより好ましい。液化ガスの配合量が５質量％未満の場合、液化ガスは、自己冷却能力が不充分となり、冷却効果が弱くなりやすい、また残量も多くなりやすい。一方、液化ガスの配合量が９９質量％を超える場合、内容物中の原液の割合が少なすぎるため塗布治具２に均一に吸着されにくい。
【００５７】
次に、本実施形態の塗布製品１の使用方法について説明する。まず、塗布治具２へ内容物を供給する際の動作が、図１〜図３を参照して説明される。図２は、本実施形態の塗布製品１の分解図である。図３は、塗布部材４を作動させて内容物を塗布治具２に供給している状態の塗布製品１の模式的な断面図である。図２に示されるように、塗布治具２およびエアゾール容器３は、塗布部材４に取り付けられる。塗布治具２およびエアゾール容器３の取り付け順序は特に限定されない。一般的に、塗布治具２は交換可能である。そのため、塗布製品１は、エアゾール容器３を塗布部材４に取り付けておき、使用前に塗布治具２がさらに取り付けられてもよい。塗布製品１は、図１に示されるように、使用前の状態において、ステム３３の上端が装着口７１２に差し込まれている。この状態において、管状通路６１内や、内部通路７２３（大通路７２４および小通路７２５）内は、外部と連通しており、大気圧である。
【００５８】
塗布製品１は、図３に示されるように、塗布部材４が押し下げられると、ステム３３が下方に押し下げられ、ステム孔（図示せず）が開放される。矢印Ａ１は、ステム３３の押し下げ方向を示している。塗布部材４の押し下げは、たとえば把持部８１を使用者が把持して押し下げることにより行われる。より具体的には、たとえば、使用者は、親指の腹を容器本体３１の底面に添え、把持部８１を人差し指および中指の腹でそれぞれ把持することにより、容易に把持部８１をＡ１方向に押し下げることができる。これにより、使用者は、ステム３３を押し下げて、塗布部材４を介してエアゾールバルブ３２を作動させることができる。
【００５９】
その結果、容器本体３１に充填されていた内容物は、管状通路６１内や内部通路７２３内の圧力（大気圧）と、容器本体３１の内圧との差に基づいて、順に、装着口７１２から小通路７２５、管状通路６１に取り込まれ、吐出口６２から綿球５の内部に吐出される。しかしながら、基部６は、大通路７２４に嵌め込まれることにより本体部７に取り付けられているため、内容物が取り込まれる際の応力により抜け飛びにくい。
【００６０】
綿球５の表面に到達した内容物は、吐出時の勢いが充分に弱められているため、綿球５から飛び散ることがない。また、綿球５の表面に到達した内容物は、周囲に広がるように浸潤を続け、やがて綿球５の表面全体に均一に供給される。
【００６１】
ステム３３の押し下げが止められると、ステム孔は再び閉止され、内容物の取り込みが停止される。
【００６２】
本実施形態の塗布製品１によれば、綿球５に対して、内容物を外部から供給するのではなく、管状通路６１を通過させて綿球５の内部から供給する。そのため、供給された内容物が飛び散りにくい。また、内容物は、勢いが充分に弱められており、綿球５の表面に均一に供給されやすい。その結果、使用者は、内容物が均一に供給された綿球５を用いて、適用箇所に充分な内容物を塗布することができる。また、塗布製品１は、綿球５の一部だけでなく、表面の全体に均一に内容物が供給されている。そのため、使用者は、様々な角度で適用箇所に内容物を塗布することができ、取扱性がよい。さらに、塗布製品１は、内容物が誤って噴射されることがないため、周囲を汚損しない。
【００６３】
（第２の実施形態）
本発明の第２の実施形態の塗布製品が、図面を参照して説明される。図４は、本実施形態の塗布製品１ａを拡大した模式的な断面図である。図４に示される塗布製品１ａは、使用前（内容物が取り込まれる前）の状態である。以下、それぞれの構成について説明する。本実施形態の塗布製品１ａは、塗布治具２ａと、塗布部材４ａの取付部７２ａとの構成が第１の実施形態において上記した塗布治具２および塗布部材４（図１参照）と異なる以外は同様の構成である。そのため、本実施形態の説明において、第１の実施形態において上記した塗布製品１（図１参照）と同様の構成については同一の参照符号を付して説明を適宜省略する。
【００６４】
＜塗布治具２ａ＞
塗布治具２ａは、内容物を適用箇所に塗布するための治具であり、第１の綿球５１（第１塗布部の一例）と、第２の綿球５２（第２塗布部の一例）と、第１の綿球５１に内容物を供給するための基部６ａとを有する。
【００６５】
（第１の綿球５１）
第１の綿球５１は、脱脂綿（通液性素材の一例）が巻き付けられた楕円球状の部位であり、基部６ａの一端に設けられている。第１の綿球５１は、通液性に優れ、内容物を通過させることができる。また、第１の綿球５１は、その中心に吐出口６２が開口するよう形成されている。エアゾール容器３から取り込まれた内容物は、吐出口６２から吐出され、第１の綿球５１の内側から外側に向けて第１の綿球５１内を浸潤し、第１の綿球５１の外周面（塗布面）に均一に拡げられる。内容物が第１の綿球５１内を浸潤する詳細な機序は、後述される。
【００６６】
第１の綿球５１は、塗布治具２ａが塗布部材４ａに取り付けられた状態において、先端開口部７１１から外部に露出する位置に形成されるよう基部６ａの長さが調整されている。
【００６７】
（基部６ａ）
基部６ａは、第１の綿球５１に内容物を供給するための部位であり、比較的長尺の円筒状である。基部６ａは、内容物が通過する管状通路６１が内部に形成されている。基部６ａの両端には、管状通路６１と外部とを連通する開口（吐出口６２および取込口６３）がそれぞれ形成されている。吐出口６２は、管状通路６１の一端に形成された開口であり、第１の綿球５１の内部において開口する。取込口６３は、管状通路６１の他端に形成された開口であり、後述する第２の綿球５２の内部において開口する。取込口６３は、後述する本体部７ａの装着口７１２から取り込まれ、第２の綿球５２の表面から内部に浸潤した内容物を、管状通路６１内に取り込むための開口である。
【００６８】
基部６ａの外径は、後述する段部７２８ａが形成されている位置の内径よりも小さい。基部６ａの長さは、本体部７ａに取り付けた際に、第１の綿球５１が先端開口部７１１から露出し、かつ、第２の綿球５２が段部７２８ａよりも下に配置されるよう調整されている。
【００６９】
基部６ａの材質としては特に限定されない。基部６ａの材質としては、木、紙、プラスチック等が例示される。本実施形態の基部６ａは、プラスチック製である。
【００７０】
（第２の綿球５２）
第２の綿球５２は、脱脂綿（吸液性素材の一例）が巻き付けられた楕円球状の部位であり、基部６ａの一端に設けられている。また、第２の綿球５２は、塗布治具２ａが塗布部材４ａに取付けられた状態において、段部７２８ａの形成された位置よりも装着口７１２側に配置されるよう基部６ａの長さが調整されている。第２の綿球５２は、吸液性に優れ、内容物を吸収することができる。また、第２の綿球５２は、その中心に取込口６３が開口するよう形成されている。エアゾール容器３から取り込まれた内容物は、第２の綿球５２の表面から内部に吸収され、取込口６３から管状通路６１内に取り込まれる。管状通路６１に取り込まれた内容物は、上記のとおり、吐出口６２から第１の綿球５１内に吐出される。
【００７１】
第２の綿球５２は、内容物を吸収することにより膨潤する。より具体的には、第２の綿球５２は、膨潤前の径が、第２の綿球５２が段部７２８ａの形成された位置よりも装着口７１２側となるよう塗布治具２ａを塗布部材４ａに取り付ける際に、段部７２８ａの形成された位置を通過し得る径である。なお、本実施形態において、「段部の形成された位置を通過し得る径」とは、必ずしも第２の綿球５２の径が段部７２８ａの形成された位置の内径よりも小さい場合のみではなく、段部７２８ａの形成された位置の内径と同程度であるか、これよりも大きい場合も含む。すなわち、第２の綿球５２は、綿繊維の集合により形成されているため、狭隘な空間（たとえば内部通路７２９のうち、段部７２８ａの形成された位置）を通過する際には、空間の内面形状に沿って変形し得る。本実施形態では、このような変形により通過し得る径も含めて、「段部の形成された位置を通過し得る径」という。
【００７２】
また、第２の綿球５２は、膨潤後の径が、段部７２８ａの形成された位置における本体部７ａの内径よりも大きい（図５参照）。そのため、膨潤した塗布治具２ａは、内容物が取り込まれる際に、加圧された内容物に押圧されて上方向へ移動される場合であっても、第２の綿球５２が段部７２８ａの下面と当接することにより制止され、抜け飛ぶことが防がれる。なお、第２の綿球５２内に取り込まれた内容物が気化することで、第２の綿球５２の径は、使用前の状態のように小さくなる。そのため、使用者は、塗布治具２ａを容易に取り外すことができる。
【００７３】
また、本実施形態の第２の綿球５２は、膨潤後の径が、内部通路７２９の径よりもわずかに大きい。そのため、膨潤後の第２の綿球５２は、内部通路７２９の内周面と摺接する。その結果、塗布製品１ａは、加圧された内容物に押圧されて上方向へ移動される場合、第２の綿球５２が段部７２８ａに当接することにより制止されることに加え、内部通路７２９の内周面を摺動することによっても制止され得る。
【００７４】
＜塗布部材４ａ＞
塗布部材４ａは、塗布治具２ａおよびエアゾール容器３が取り付けられる部材であり、カバー部７１および取付部７２ａとからなる本体部７ａと、カバー部７１に取り付けられる外筒部８とを含む。
【００７５】
（本体部７ａ）
本体部７ａは、塗布治具２ａが取り付けられる部位であり、中心に開口（先端開口部７１１）が形成された逆椀状のカバー部７１と、先端開口部７１１の周囲において、カバー部７１の裏面から下方に延設された略円筒状の取付部７２ａ（嵌合部の一例）とを有する。カバー部７１は第１の実施形態と同様の構成であるため、説明を省略する。
【００７６】
取付部７２ａは、塗布治具２ａが取り付けられる部位であり、内部通路７２９が形成された略円筒状の筒部７２７ａと、後述する周状の段部７２８ａとを有する。
【００７７】
内部通路７２９の一端は、開口しており（先端開口部７１１）、塗布治具２ａを筒部７２７ａに取り付けた際に、第１の綿球５１が露出する。取付部７２ａは、先端開口部７１１の近傍において、第１の綿球５１の形状に沿うように、逆円錐台状に加工されている。内部通路７２９の他端は、開口している（装着口７１２）。装着口７１２は、取付部７２ａの下面から上方に落ち窪んだ凹部であり、ステム３３が装着される。装着口７１２の径は、内部通路７２９の径よりも大きい。そのため、装着口７１２の上端には、段部７３の下面が形成される。塗布部材４ａは、段部７３の下面にステム３３の上端が当接するようステム３３を差し込むことにより、エアゾール容器３が取り付けられる。
【００７８】
本実施形態の取付部７２ａは、内部通路７２９を画定する内周面において径方向の内側に突出する周状の段部７２８ａを有する。段部７２８ａは、内容物を内部通路７２９に取り込む際に、塗布治具２ａが抜け飛ぶことを防止するための部位である。段部７２８ａが形成された位置における取付部７２ａの内径は、膨潤前の第２の綿球５２が通過し得る径であり、膨潤後の第２の綿球５２の径よりも小さい。
【００７９】
段部７２８ａの形成される位置は、塗布治具２ａを筒部７２７ａに取り付けた際に、第２の綿球５２の位置よりも上方であればよい。
【００８０】
次に、本実施形態の塗布製品１ａの使用方法が、図４に加えて図５を参照して説明される。図５は、塗布部材４ａを作動させて内容物を塗布治具２ａに供給した後の塗布製品１ａを拡大した模式的な断面図である。図４に示されるように、塗布製品１ａは、使用前の状態において、ステム３３の上端が装着口７１２に差し込まれている。この状態において、管状通路６１内や、内部通路７２９内は、外部と連通しており、大気圧である。
【００８１】
塗布製品１ａは、塗布部材４ａが押し下げられると、ステム３３が下方に押し下げられ、ステム孔（図示せず）が開放される。その結果、容器本体３１に充填されていた内容物は、管状通路６１内や内部通路７２９内の圧力（大気圧）と、容器本体３１の内圧との差に基づいて、順に、装着口７１２から取り込まれ、第２の綿球５２の表面に到達する。第２の綿球５２は、表面から内容物を吸液して膨潤する。この際、塗布治具２ａは、加圧された内容物に押圧されて上方向へ移動されることがある。しかしながら、塗布治具２ａは、第２の綿球５２が膨潤し、段部７２８ａの下面と当接することにより制止され、抜け飛ぶことが防がれる。
【００８２】
第２の綿球５２に吸液された内容物は、第２の綿球５２の内部に開口するよう配置された取込口６３から管状通路６１内に供給される。管状通路６１に供給された内容物は、吐出口６２から第１の綿球５１内に吐出される。上記のとおり、第１の綿球５１は、通液性に優れ、内容物を通過させることができる。そのため、吐出口６２から吐出された内容物は、第１の綿球５１の内側から外側に向けて第１の綿球５１内を浸潤する。この際、内容物は、綿球を構成する綿繊維によって勢いがさらに緩和されながら、綿繊維内および綿繊維間を徐々に浸潤し、綿球の表面に到達する。第１の綿球５１の表面に到達した内容物は、吐出時の勢いが充分に弱められているため、第１の綿球５１から飛び散ることがない。また、第１の綿球５１の表面に到達した内容物は、周囲に広がるように浸潤を続け、やがて第１の綿球５１の表面全体に均一に供給される。
【００８３】
ステム３３の押し下げが止められると、ステム孔は再び閉止され、内容物の供給が停止される。使用者は、たとえば外筒部８を把持し、適用箇所（たとえば目元等）に第１の綿球５１を押し当てて、内容物を塗布することができる。
【００８４】
本実施形態の塗布製品１ａは、第２の綿球５２が段部７２８ａの下面に当接して制止されるため、内部空間のうち、段部７２８ａよりも装着口７１２側の空間（空間Ｓ）は、外部と比較していくらか加圧された状態が維持されやすい。（噴射剤として液化ガスを使用している場合）そのため、内容物の取り込みが停止された後であっても、このような加圧によって、第２の綿球５２に吸液された内容物が、しばらく第１の綿球５１に供給され得る。その結果、使用者は、比較的長時間の間、適用箇所に内容物を塗布することができる。
【００８５】
また、内容物の取り込みが停止された後であっても、このように第２の綿球５２に吸液された内容物は、第１の綿球５１に供給されるため、第２の綿球５２は、乾燥していき徐々に縮径される。そして、第２の綿球５２の径が、膨潤前と同程度に縮径されると、使用者は、塗布治具２ａを再利用するか（再度内容物を取り込むか）、抜き出して廃棄するか、または新たな塗布治具２ａと取り換えることができる。また、第１の綿球５１と第２の綿球５２とが同じ部材で構成されている場合には、使用者は、塗布治具２ａを抜き出したのち、反対方向から再び本体部に取り付けて再利用してもよい。
【００８６】
以上、本発明の一実施形態について、図面を参照して説明したが、本発明の塗布製品は、たとえば次のような変形実施形態を採用することができる。
【００８７】
（１）上記実施形態（第１の実施形態）では、塗布治具の基部が、塗布部材に嵌め込まれることにより、塗布部材に取り付けられる場合について例示した。すなわち、塗布治具の基部の外径が、塗布部材の内部通路の径と同程度である場合について例示した。これに代えて、本発明は、基部の外径が、内部通路の径よりも小さくてもよい。この場合、基部は、基部の外周面と、内部通路を画定する内周面との間が離間する。そのため、本変形例では、このような空間を閉塞するためのシール材が設けられることが好ましい。
【００８８】
図６は、本変形例（第１の変形例）の塗布製品１ｂを拡大した模式的な断面図である。本変形例は、基部６ｂの外径が大通路７２４の径よりも小さく、基部６ｂと大通路７２４との間にシール材９が設けられている以外は、第１の実施形態で上記した塗布製品１（図１参照）と同様の構成である。そのため、本変形例の説明において、第１の実施形態において上記した塗布製品１と同様の構成については同一の参照符号を付して説明を適宜省略する。
【００８９】
シール材９は、基部６ｂの外周面と、大通路７２４を画定する内周面との間に設けられる円筒状の弾性部材である。シール材９の内径は、基部６ｂの外径よりもわずかに小さい。また、シール材９の外径は、大通路７２４を画定する内周面の径よりもわずかに大きい。そのため、シール材９は、大通路７２４の内周面と、基部６ｂの外周面とに密着する。その結果、塗布治具２ｂは、シール材９を介して、本体部７に取り付けられる。本変形例の塗布製品１ｂは、シール材９により大径部７２２と基部６ｂとが密着されているため、加圧された内容物が取り込まれる際の応力により塗布治具２が抜け飛びにくい。なお、シール材９の外径は、基部６ｂの外径を大きくすることで広げることができるため大通路７２４の内周面の径よりも小さくてもよい。なお、シール材９の材質としては特に限定されない。シール材９の材質としては、合成ゴム、天然ゴム等が例示される。
【００９０】
（２）上記実施形態（第１の実施形態および第２の実施形態）では、塗布治具として、内部通路が形成された基部と、基部の一端（または両端）に綿球が設けられたものを例示した。これに代えて、本発明は、基部を吸液性の素材からなる棒状の部材で構成してもよい。図７は、本変形例（第２の変形例）の塗布製品１ｃを拡大した模式的な断面図である。本変形例は、塗布治具２ｃの基部６ｃが吸液性の素材からなる棒状の部材で構成されている以外は、第１の変形例で上記した塗布製品１ｂ（図６参照）と同様の構成である。そのため、本変形例の説明において、第１の変形例において上記した塗布製品１ｂと同様の構成については同一の参照符号を付して説明を適宜省略する。
【００９１】
本変形例において、基部６ｃは、棒状に加工された紙（吸水性素材の一例）で構成されている。基部６ｃの一端には、綿球５が取り付けられている。このような塗布治具２ｃは、本体部７に取り付けられた後、容器本体３１から内容物が取り込まれると、基部６ｃの他端から内容物を吸液する。内容物は、基部６ｃに徐々に吸液され、先端に形成された綿球５に到達する。綿球５に到達した内容物は、綿球５を構成する綿繊維によって勢いが緩和されながら、綿繊維内および綿繊維間を徐々に浸潤し、綿球５の表面に到達する。綿球５の表面に到達した内容物は、周囲に広がるように浸潤を続け、やがて綿球５の表面全体に均一に供給される。
【００９２】
基部６ｃの材質としては特に限定されず、内容物を吸液することのできる素材であればよい。このような素材としては、紙のほか、綿や各種吸水性の樹脂等が例示される。
【００９３】
本変形例によれば、内容物は、基部６ｃにより吸液されて綿球５に供給される。そのため、管状通路６１を通過させて綿球５に供給する場合（第１の実施形態、図１参照）よりも、供給される内容物の勢いを抑制することができる。その結果、供給された内容物は、より飛び散りにくい。さらに、噴射剤として液化ガスを含んでいる場合、吸液された基部６ｃから液化ガスが気化することで、基部６ｃおよび綿球５が冷却される。さらに、基部６ｃおよび綿球５が冷却されることで、液化ガスの気化が抑制されるため、液化ガスの冷却効果が持続的に得られる。
【００９４】
（３）上記実施形態（第１の実施形態）では、塗布治具の基部が、塗布部材に嵌め込まれることにより、塗布部材に取り付けられる場合について例示した。すなわち、塗布治具の基部の外径が、塗布部材の内部通路の径と同程度である場合について例示した。これに代えて、本発明は、基部の外径が、内部通路の径よりも小さくてもよい。この場合、基部は、基部の外周面と、内部通路を画定する内周面との間が離間する。そのため、本変形例では、大径部の内周面に、径方向の内側に延設された周状の突起（径方向の内側に突出する突起の一例）が形成されている。
【００９５】
図８は、本変形例（第３の変形例）の塗布製品１ｄを拡大した模式的な断面図である。本変形例は、基部６ｄの外径が大通路７２４の径よりも小さく、大径部７２１ｄの内周面に、突起７４が形成されている以外は、第１の実施形態で上記した塗布製品１（図１参照）と同様の構成である。そのため、本変形例の説明において、第１の実施形態において上記した塗布製品１と同様の構成については同一の参照符号を付して説明を適宜省略する。
【００９６】
突起７４は、大径部７２１ｄの内周面において周状に形成された部材である。突起７４の形成された位置の内径は、基部６ｄの外径よりもわずかに小さい。そのため、大径部７２１ｄは、突起７４の形成された位置において、基部６ｄの外周面と密着し、締り嵌めを形成する。その結果、塗布治具２ｄは、本体部７ｄに取り付けられる。本変形例の塗布製品１ｄは、突起７４が基部６ｄの外周面と密着しているため、加圧された内容物が取り込まれる際の応力により塗布治具２が抜け飛びにくい。
【００９７】
なお、本変形例において、周状の突起７４に代えて、２つ以上の突起（図示せず）が大径部７２１ｄの内周面に形成されてもよい。これにより、突起を介して大径部７２１ｄと基部６ｄを密着させてもよい。なお、本変形例は本体部７の大径部７２１ｄに突起７４を設けているが、これに代えて、塗布治具２の基部６ｄ側に突起を設け、塗布治具２を大径部７２１ｄに嵌合させてもよい。
【００９８】
（４）上記実施形態（第１の実施形態）では、塗布治具の基部が、塗布部材に嵌め込まれることにより、塗布部材に取り付けられる場合について例示した。すなわち、塗布治具の基部の外径が、塗布部材の内部通路の径と同程度である場合について例示した。これに代えて、本発明は、基部の外径が、内部通路の径よりも小さくてもよい。この場合、基部は、基部の外周面と、内部通路を画定する内周面との間が離間する。そのため、本変形例では、大径部の内周面が、先端開口部側から小径部側にかけて、徐々に縮径された形状に加工されてもよい。
【００９９】
図９は、本変形例（第４の変形例）の塗布製品１ｅを拡大した模式的な断面図である。本変形例は、大径部７２１ｅの内周面が先端開口部７１１側から小径部７２２側にかけて徐々に縮径された形状に加工されている以外は、第１の実施形態で上記した塗布製品１（図１参照）と同様の構成である。そのため、本変形例の説明において、第１の実施形態において上記した塗布製品１と同様の構成については同一の参照符号を付して説明を適宜省略する。
【０１００】
図９に示されるように、先端開口部７１１の近傍における大径部７２１ｅの径は、基部６ｅの外径よりも大きい。一方、小径部７２２との接続箇所における大径部７２１ｅの径は、基部６ｅの外径よりもわずかに小さい。そのため、大径部７２１ｅは、小径部７２２との接続箇所近傍において、基部６ｅの外周面と密着し、締り嵌めを形成する。その結果、塗布治具２ｅは、本体部７ｅに取り付けられる。本変形例の塗布製品１ｅは、大径部７２１ｅが基部６ｅの外周面と密着しているため、加圧された内容物が取り込まれる際の応力により塗布治具２ｅが抜け飛びにくい。
【０１０１】
（５）上記実施形態（第１の実施形態および第２の実施形態）では、通液性素材が綿球（第１の綿球）である場合について例示した。これに代えて、本発明は、綿球以外であってもよい。すなわち、塗布部は、基部によって内容物を塗布部全体に渡って均一に通液させることのできる材質および形状であればよい。このような塗布部としては、ブラシ状に束ねられた動物の毛髪や繊維、または、楕円球状等に成形された紙や各種吸水性の樹脂等が例示される。
【０１０２】
（６）上記実施形態（第２の実施形態）では、吸液性素材が綿球（第２の綿球）である場合について例示した。これに代えて、本発明は、吸液性素材が綿球以外であってもよい。すなわち、第２の塗布部は、内容物を吸液し、第１の塗布部に供給することのできる材質および形状であればよい。このような第２の塗布部としては、楕円球状等に成形された紙や各種吸水性の樹脂等が例示される。
【符号の説明】
【０１０３】
１、１ａ、１ｂ、１ｃ、１ｄ、１ｅ  塗布製品
２、２ａ、２ｂ、２ｃ、２ｄ、２ｅ  塗布治具
３  エアゾール容器
３１  容器本体
３２  エアゾールバルブ
３３  ステム
４、４ａ  塗布部材
５  綿球
５１  第１の綿球
５２  第２の綿球
６、６ａ、６ｂ、６ｃ、６ｄ、６ｅ  基部
６１  管状通路
６２  吐出口
６３  取込口
７、７ａ、７ｄ、７ｅ  本体部
７１  カバー部
７１１  先端開口部
７１２  装着口
７１３  周縁部
７２、７２ａ  取付部
７２１、７２１ｄ、７２１ｅ  大径部
７２２  小径部
７２３  内部通路
７２４  大通路
７２５  小通路
７２７ａ  筒部
７２８ａ、７３、８２  段部
７２９  内部通路
７４  突起
８  外筒部
８１  把持部
９  シール材
【図１】
0006474590.tif 000002
【図２】
0006474590.tif 000003
【図３】
0006474590.tif 000004
【図４】
0006474590.tif 000005
【図５】
0006474590.tif 000006
【図６】
0006474590.tif 000007
【図７】
0006474590.tif 000008
【図８】
0006474590.tif 000009
【図９】
0006474590.tif 000010